【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
ＬＩＤＡＲ照明器であって、
ａ）複数のレーザ源であって、前記複数のレーザ源は、前記複数のレーザ源のうちの少なくとも２つによって生成された光学ビームが標的において空間的に重複し、かつ、前記複数のレーザ源のうちの他の少なくとも２つのレーザ源によって生成された少なくとも２つの光学ビームが前記標的において空間的に重複しないように、配列され、前記複数のレーザ源のそれぞれは、前記複数のレーザ源のそれぞれに光学ビームを生成させる変調駆動信号を受信する電気入力を備える、複数のレーザ源と、
ｂ）複数の電気出力を有するコントローラであって、前記複数の電気出力の個々のものは、前記複数のレーザ源の個々のものの電気入力に接続され、前記コントローラは、前記標的において空間的に重複する光学ビームを生成するように配列された前記複数のレーザ源のうちの前記少なくとも２つが同時に励起されず、かつ、前記標的において空間的に重複しない光学ビームを生成する前記複数のレーザ源のうちの前記他の少なくとも２つのレーザ源が、前記標的における測定開口内の光学ビームのピーク光学エネルギーが所望の値未満であるように同時に励起されるように、複数の変調駆動信号を生成する、コントローラと
を備える、ＬＩＤＡＲ照明器。
【請求項２】
前記複数のレーザ源は、複数の垂直キャビティ面発光レーザを備える、請求項１に記載のＬＩＤＡＲ照明器。
【請求項３】
前記コントローラは、擬似ランダム時間において前記複数のレーザ源を励起するように、前記複数の変調駆動信号を生成するように構成される、請求項１に記載のＬＩＤＡＲ照明器。
【請求項４】
前記測定開口は、前記標的において約７ｍｍである、請求項１に記載のＬＩＤＡＲ照明器。
【請求項５】
前記コントローラは、前記複数のレーザ源が、所望のパルス幅、ピークパワー、および繰り返し率を伴うパルス状光学ビームを生成し、それにより、各ビームが、前記標的における前記測定開口内で最大許容可能暴露（ＭＰＥ）限界を超えないように、複数の変調駆動信号を生成するように構成される、請求項１に記載のＬＩＤＡＲ照明器。
【請求項６】
前記所望の値は、クラス１の眼安全性値である、請求項１に記載のＬＩＤＡＲ照明器。
【請求項７】
前記コントローラは、前記ＬＩＤＡＲ照明器のリフレッシュレートを最大限にするように、複数の変調駆動信号を生成するように構成される、請求項１に記載のＬＩＤＡＲ照明器。
【請求項８】
前記コントローラは、前記コントローラに電気的に接続されたメモリをさらに備え、前記メモリは、前記複数の変調駆動信号を表すデータを記憶する、請求項１に記載のＬＩＤＡＲ照明器。
【請求項９】
エネルギー密度を測定する光学センサをさらに備え、前記光学センサは、前記コントローラに電気的に接続された出力を有する、請求項１に記載のＬＩＤＡＲ照明器。
【請求項１０】
前記コントローラは、複数の変調駆動信号が、時間の関数として変化する組み合わせられた光学ビームを形成する複数の光学ビームを生成するように、複数の変調駆動信号を生成するように構成される、請求項１に記載のＬＩＤＡＲ照明器。
【請求項１１】
ＬＩＤＡＲ照明の方法であって、
ａ）複数のレーザ源を提供することであって、前記複数のレーザ源は、前記複数のレーザ源のうちの少なくとも２つによって生成された光学ビームが標的において空間的に重複し、かつ、前記複数のレーザ源のうちの他の少なくとも２つのレーザ源によって生成された少なくとも２つの光学ビームが前記標的において空間的に重複しないように、配列される、ことと、
ｂ）前記複数のレーザ源の各々に対し、前記複数のレーザ源の各々に、標的において空間的に重複する光学ビームを生成するように配列された前記複数のレーザ源のうちの少なくとも２つが同時に励起されず、かつ、前記標的において空間的に重複しない光学ビームを生成する前記複数のレーザ源のうちの他の少なくとも２つが、前記標的における測定開口内の組み合わせられた光学ビームのピーク光学エネルギーが所望の値未満であるように同時に励起されるように、光学ビームを生成させる変調駆動信号を生成することと
を含む、方法。
【請求項１２】
前記複数のレーザ源を提供することは、複数の垂直キャビティ面発光レーザを提供することを含む、請求項１１に記載の方法。
【請求項１３】
前記複数の変調駆動信号を生成することは、擬似ランダム時間において前記複数のレーザ源を励起するように、前記複数の変調駆動信号を生成することを含む、請求項１１に記載の方法。
【請求項１４】
前記測定開口は、前記標的において約７ｍｍである、請求項１１に記載の方法。
【請求項１５】
前記複数のレーザ源の各々に対し、前記変調駆動信号を生成することは、前記複数のレーザ源が、所望のパルス幅、ピークパワー、および繰り返し率を伴うパルス状光学ビームを生成し、それにより、各ビームが、前記測定距離における前記測定開口内で最大許容可能暴露（ＭＰＥ）限界を超えないように、前記駆動信号を生成することを含む、請求項１１に記載の方法。
【請求項１６】
前記複数のレーザ源の各々に対し、前記変調駆動信号を生成することは、クラス１の眼安全性である、前記測定距離における前記測定開口内にピーク光学エネルギーを伴う組み合わせられた光学ビームを生成するように、前記変調駆動信号を生成することを含む、請求項１１に記載の方法。
【請求項１７】
前記複数のレーザ源の各々に対し、前記変調駆動信号を生成することは、ＬＩＤＡＲ照明器のリフレッシュレートを最大限にする複数の変調駆動信号を生成するように、前記変調駆動信号を生成することを含む、請求項１１に記載の方法。
【請求項１８】
メモリにアクセスし、前記変調駆動信号を取得することをさらに含む、請求項１１に記載の方法。
【請求項１９】
前記測定距離における前記測定開口内のエネルギー密度を測定することをさらに含む、請求項１１に記載の方法。
【請求項２０】
前記複数のレーザ源の各々に対し、前記変調駆動信号を生成することは、複数の変調駆動信号が、時間の関数として変化する組み合わせられた光学ビームを形成する複数の光学ビームを生成するように、変調駆動信号を生成することを含む、請求項１１に記載の方法。
【手続補正２】
【補正対象書類名】明細書
【補正対象項目名】０００６
【補正方法】変更
【補正の内容】
【０００６】
本教示のシステムは、単一エミッタおよび／または複数のエミッタを含む、レーザ光源を使用してもよい。例えば、単一要素ＶＣＳＥＬまたは単一縁放出レーザデバイスを使用する、光源は、単一エミッタと見なされるであろう。１つ以上の基板上に配列される複数のＶＣＳＥＬ要素または複数の縁放出レーザ源を使用する、光源は、複数のエミッタ源と見なされるであろう。多要素エミッタは、１次元および２次元アレイを含む、種々のアレイ構成において構成されてもよい。当業者は、本教示の下記の説明が、単一エミッタ源および／またはマルチエミッタレーザ源を伴う、眼安全性走査ＬＩＤＡＲシステムの種々の実施形態を指すことを理解されるであろう。本教示のＬＩＤＡＲシステムの特定の実施形態の特徴は、単一エミッタおよび／またはマルチエミッタレーザ源のいずれかに限定されるものと見なされるべきではなく、むしろ、単一エミッタおよび／またはマルチエミッタレーザ源の両方に適用されるものとより広義に解釈されるべきであることが、当業者に明白となるであろう。
本発明は、例えば、以下を提供する。
（項目１）
ＬＩＤＡＲ照明器であって、
ａ）複数のレーザ源であって、前記複数のレーザ源のそれぞれは、前記複数のレーザ源のそれぞれに光学ビームを生成させる変調駆動信号を受信する電気入力を備える、複数のレーザ源と、
ｂ）複数の電気出力を有する、コントローラであって、前記複数の電気出力の個々のものは、前記複数のレーザ源の個々のものの電気入力に接続され、前記コントローラは、前記複数のレーザ源に組み合わせられた光学ビームを形成する複数の光学ビームを生成させる複数の変調駆動信号を生成し、測定距離における測定開口内の前記組み合わせられた光学ビームのピーク光学エネルギーは、所望の値未満である、コントローラと
を備える、ＬＩＤＡＲ照明器。
（項目２）
前記複数のレーザ源は、複数の垂直キャビティ面発光レーザを備える、項目１に記載のＬＩＤＡＲ照明器。
（項目３）
前記複数のレーザ源は、前記測定距離における前記測定開口内の組み合わせられた光学ビームが前記複数の光学ビームのうちの１つのみを備えるように位置付けられる、項目１に記載のＬＩＤＡＲ照明器。
（項目４）
前記コントローラは、擬似ランダム時間において前記複数のレーザ源を励起するように、前記複数の変調駆動信号を生成するように構成される、項目３に記載のＬＩＤＡＲ照明器。
（項目５）
前記コントローラは、前記複数の光学ビームのいずれも、任意の特定の時間において、前記測定距離における前記測定開口内で重複しないように、前記複数のレーザ源を励起するように、前記複数の変調駆動信号を生成するように構成される、項目１に記載のＬＩＤＡＲ照明器。
（項目６）
前記コントローラは、１つを上回る光学ビームが、前記時間の少なくとも一部において、前記測定距離における前記測定開口を照射するように、前記複数のレーザ源を励起するように、前記複数の変調駆動信号を生成するように構成される、項目５に記載のＬＩＤＡＲ照明器。
（項目７）
前記コントローラは、前記測定距離における前記測定開口内の組み合わせられた光学ビームが、前記複数の光学ビームのうちの１つの前記測定距離における前記測定開口内のピーク光学エネルギー以下であるピーク光学エネルギーを備えるように、前記複数のレーザ源を励起するように、前記複数の変調駆動信号を生成するように構成される、項目１に記載のＬＩＤＡＲ照明器。
（項目８）
前記コントローラは、前記複数の光学ビームの１つのみが、任意の特定の時間において、前記測定距離における前記測定開口を照射するように、前記複数のレーザ源を励起するように、前記複数の変調駆動信号を生成するように構成される、項目１に記載のＬＩＤＡＲ照明器。
（項目９）
前記コントローラは、任意の所与の時間において、前記測定距離における前記測定開口内で時間内に重複する光学ビームが存在しないように、前記複数のレーザ源を励起するように、複数の変調駆動信号を生成するように構成される、項目１に記載のＬＩＤＡＲ照明器。
（項目１０）
前記コントローラは、前記複数の光学ビームのうちの少なくとも２つが前記測定距離における前記測定開口内で時間内に同時に重複するように、前記複数のレーザ源を励起するように、複数の変調駆動信号を生成するように構成される、項目１に記載のＬＩＤＡＲ照明器。
（項目１１）
前記コントローラは、前記複数の光学ビームのうちの少なくとも２つが前記測定距離における前記測定開口内で時間内に同時に部分的に重複するように、前記複数のレーザ源を励起するように、複数の変調駆動信号を生成するように構成される、項目１に記載のＬＩＤＡＲ照明器。
（項目１２）
前記測定開口は、約７ｍｍであり、前記測定距離は、約１００ｍｍである、項目１に記載のＬＩＤＡＲ照明器。
（項目１３）
前記コントローラは、前記複数のレーザ源が、所望のパルス幅、ピークパワー、および繰り返し率を伴うパルス状光学ビームを生成し、それにより、各ビームが、前記測定距離における前記測定開口内で最大許容可能暴露（ＭＰＥ）限界を超えないように、複数の変調駆動信号を生成するように構成される、項目１に記載のＬＩＤＡＲ照明器。
（項目１４）
前記複数の光学ビームは、クラス１の眼安全性である前記測定距離における前記測定開口内にピーク光学エネルギーを伴う組み合わせられた光学ビームを生成する、項目１に記載のＬＩＤＡＲ照明器。
（項目１５）
前記コントローラは、前記ＬＩＤＡＲ照明器のリフレッシュレートを最大限にするように、複数の変調駆動信号を生成するように構成される、項目１に記載のＬＩＤＡＲ照明器。
（項目１６）
前記コントローラはさらに、前記コントローラに電気的に接続されたメモリを備え、前記メモリは、前記ＬＩＤＡＲ照明器に特定の所望のパターンの光を生成させる前記複数の変調駆動信号を表すデータを記憶する、項目１に記載のＬＩＤＡＲ照明器。
（項目１７）
エネルギー密度を測定する光学センサをさらに備え、前記光学センサは、前記コントローラに電気的に接続された出力を有する、項目１に記載のＬＩＤＡＲ照明器。
（項目１８）
前記コントローラは、複数の変調駆動信号が、時間の関数として変化する組み合わせられた光学ビームを形成する複数の光学ビームを生成するように、複数の変調駆動信号を生成するように構成される、項目１に記載のＬＩＤＡＲ照明器。
（項目１９）
ＬＩＤＡＲ照明の方法であって、
ａ）複数のレーザ源を提供することと、
ｂ）前記複数のレーザ源の各々に対し、前記複数のレーザ源に、組み合わせられた光学ビームを形成する複数の光学ビームを生成させる複数の変調駆動信号を生成することであって、測定距離における測定開口内の前記組み合わせられた光学ビームのピーク光学エネルギーは、所望の値未満である、ことと
を含む、方法。
（項目２０）
前記複数のレーザ源を提供することは、複数の垂直キャビティ面発光レーザを提供することを含む、項目１９に記載の方法。
（項目２１）
前記複数のレーザ源の各々に対し、前記複数の変調駆動信号を生成することは、擬似ランダム時間において前記複数のレーザ源を励起するように、前記複数の変調駆動信号を生成することを含む、項目１９に記載の方法。
（項目２２）
前記複数のレーザ源の各々に対し、前記複数の変調駆動信号を生成することは、前記複数の光学ビームのいずれも、前記測定距離における前記測定開口内で任意の特定の時間において重複しないように、前記複数のレーザ源を励起するように、前記複数の変調駆動信号を生成することを含む、項目１９に記載の方法。
（項目２３）
前記複数のレーザ源の各々に対し、前記複数の変調駆動信号を生成することは、１つを上回る光学ビームが、前記時間の少なくとも一部において、前記測定距離における前記測定開口を照射するように、前記複数のレーザ源を励起するように、前記複数の変調駆動信号を生成することを含む、項目１９に記載の方法。
（項目２４）
前記複数のレーザ源の各々に対し、前記複数の変調駆動信号を生成することは、前記測定距離における前記測定開口内の組み合わせられた光学ビームが、前記測定距離における前記測定開口内の前記複数の光学ビームのうちの１つのピーク光学エネルギー以下であるピーク光学エネルギーを備えるように、前記複数のレーザ源を励起するように、前記複数の変調駆動信号を生成することを含む、項目１９に記載の方法。
（項目２５）
前記複数のレーザ源の各々に対し、前記複数の変調駆動信号を生成することは、前記複数の光学ビームの１つのみが、任意の特定の時間において、前記測定距離における前記測定開口を照射するように、前記複数のレーザ源を励起するように、前記複数の変調駆動信号を生成することを含む、項目１９に記載の方法。
（項目２６）
前記複数のレーザ源の各々に対し、前記複数の変調駆動信号を生成することは、任意の所与の時間において、前記測定距離における前記測定開口内で時間内に重複する光学ビームが存在しないように、前記複数のレーザ源を励起するように、前記複数の変調駆動信号を生成することを含む、項目１９に記載の方法。
（項目２７）
前記複数のレーザ源の各々に対し、前記複数の変調駆動信号を生成することは、前記複数の光学ビームのうちの少なくとも２つが前記測定距離における前記測定開口内で時間内に同時に重複するように、前記複数のレーザ源を励起するように、前記複数の変調駆動信号を生成することを含む、項目１９に記載の方法。
（項目２８）
前記複数のレーザ源の各々に対し、前記複数の変調駆動信号を生成することは、前記複数の光学ビームのうちの少なくとも２つが前記測定距離における前記測定開口内で時間内に同時に部分的に重複するように、前記複数のレーザ源を励起するように、前記複数の変調駆動信号を生成することを含む、項目１９に記載の方法。
（項目２９）
前記測定開口は、約７ｍｍであり、前記測定距離は、約１００ｍｍである、項目１９に記載の方法。
（項目３０）
前記複数のレーザ源の各々に対し、前記複数の変調駆動信号を生成することは、前記複数のレーザ源が、所望のパルス幅、ピークパワー、および繰り返し率を伴うパルス状光学ビームを生成し、それにより、各ビームが、前記測定距離における前記測定開口内で最大許容可能暴露（ＭＰＥ）限界を超えないように、前記複数の変調駆動信号を生成することを含む、項目１９に記載の方法。
（項目３１）
前記複数のレーザ源の各々に対し、前記複数の変調駆動信号を生成することは、クラス１の眼安全性である、前記測定距離における前記測定開口内にピーク光学エネルギーを伴う組み合わせられた光学ビームを生成するように、前記複数の変調駆動信号を生成することを含む、項目１９に記載の方法。
（項目３２）
前記複数のレーザ源の各々に対し、前記複数の変調駆動信号を生成することは、前記ＬＩＤＡＲ照明器のリフレッシュレートを最大限にする複数の変調駆動信号を生成するように、前記複数の変調駆動信号を生成することを含む、項目１９に記載の方法。
（項目３３）
メモリにアクセスし、前記複数の変調駆動信号を取得することをさらに含む、項目１９に記載の方法。
（項目３４）
前記測定距離における前記測定開口内のエネルギー密度を測定することをさらに含む、項目１９に記載の方法。
（項目３５）
前記複数のレーザ源の各々に対し、前記複数の変調駆動信号を生成することは、複数の変調駆動信号が、時間の関数として変化する組み合わせられた光学ビームを形成する複数の光学ビームを生成するように、複数の変調駆動信号を生成することを含む、項目１９に記載の方法。